(57)【特許請求の範囲】
【請求項１】
洗濯兼脱水槽を内包し外枠内に弾性的に支持した水受け槽と、前記水受け槽の底部に設けられ前記水受け槽内の洗濯液の排水を制御する排水弁とを備え、前記水受け槽は、前記水受け槽の底面部に設けられ前記排水弁と連通する第１の排水口と、前記水受け槽の底面部に近接する周壁部分に設けられ前記排水弁へ連通する連通部と連通する第２の排水口を設けた脱水兼用洗濯機。
【請求項２】
第２の排水口は、洗濯兼脱水槽の回転時の回転方向と対向するように開口した請求項１記載の脱水兼用洗濯機。
【発明の詳細な説明】
【０００１】
【発明の属する技術分野】
本発明は洗濯兼脱水槽を内包した水受け槽を有する脱水兼用洗濯機に関するものである。
【０００２】
【従来の技術】
従来、この種の脱水兼用洗濯機は図５に示すように構成していた。以下、その構成について説明する。
【０００３】
図に示すように、水受け槽１は、吊り棒２により棒振装置３を介して外枠４の角隅より垂下支持されており、内部に洗濯兼脱水槽５を回転自在に設けている。洗濯脱水槽５は中央内底部にパルセータ６を設け、側壁に水抜き用の多数の小穴７を設けている。水受け槽１の底部に排水弁８を設け、排水ホース９を介して外枠４の外部に連通している。
【０００４】
水受け槽１の底部に補強板１０を取り付け、この補強板１０に減速機構１１、モータ１２などを配設し、減速機構１１とモータ１２との間をベルト１３で連結している。減速機構１１は洗濯時にはパルセータ６を回転駆動し、脱水時には洗濯兼脱水槽５を回転駆動するようにモータ１２の駆動力を伝達する機構を有している。洗濯兼脱水槽５の上部にはバランサー１４を設けている。
【０００５】
上記構成において動作を説明すると、まず、洗濯行程において、パルセータ６が左右に回転し、洗濯兼脱水槽５内の衣類１５を撹拌しながら洗濯を行う。洗濯行程終了後、次の排水行程ではパルセータ６の回転を止め、排水弁８を開放し、水受け槽１内の洗濯液を排水する。つぎの脱水行程では排水弁８を開放した状態で洗濯兼脱水槽５を回転駆動し、衣類１５の内部に残留した洗濯液を回転による遠心力によって、水抜き用の小穴７から洗濯兼脱水槽５の外部に押し出す。
【０００６】
この脱水行程において、洗濯兼脱水槽５の遠心力で絞り出された洗濯液は、洗濯兼脱水槽５の回転とともに水受け槽１内部の下部周壁を回り続けるために、水受け槽１の底面部に設けた排水口１６から排水されにくく、残水による音や、脱水性能の低下、さらには撹拌されるために発生する泡によって洗濯兼脱水槽５の脱水回転が抑制されてしまっていた。
【０００７】
この対策として、脱水行程の初期に洗濯兼脱水槽５の回転を一時的に緩める動作を数回くり返して、高速回転時に衣類１５から絞られた洗濯液を低速回転時に水受け槽１から排水していた。
【０００８】
【発明が解決しようとする課題】
最近、この種の洗濯機における使用者からの要望として、時間短縮が強く求められるようになり、脱水行程の初期に洗濯兼脱水槽１を一時的に低速回転させることの必要性をなくすことによる脱水時間の短縮が従来からの課題であった。
【０００９】
本発明は上記課題を解決するもので、脱水行程での洗濯兼脱水槽の一時的な低速回転を必要とせずに水受け槽から洗濯液を排水できるようにし、脱水時間を短縮することを目的としている。
【００１０】
【課題を解決するための手段】
本発明は上記目的を達成するために、洗濯兼脱水槽を内包し外枠内に弾性的に支持した水受け槽と、水受け槽の底部に設けられ水受け槽内の洗濯液の排水を制御する排水弁とを備え、水受け槽は、水受け槽の底面部に設けられ排水弁と連通する第１の排水口と、水受け槽の底面部に近接する周壁部分に設けられ排水弁へ連通する連通部と連通する第２の排水口を設けたものである。
【００１１】
これにより、排水行程では水受け槽の底面部に設けた第１の排水口より排水し、脱水行程で、洗濯兼脱水槽の回転の遠心力で絞り出された洗濯液は、水受け槽の底面部に近接する周壁部分に設けた第２の排水口より直ちに排水されるため、脱水行程での洗濯兼脱水槽の一時的な低速回転を必要とせずに水受け槽から洗濯液を排水することができ、脱水時間を短縮することができる。
【００１２】
【発明の実施の形態】
本発明の請求項１に記載の発明は、洗濯兼脱水槽を内包し外枠内に弾性的に支持した水受け槽と、前記水受け槽の底部に設けられ前記水受け槽内の洗濯液の排水を制御する排水弁とを備え、前記水受け槽は、前記水受け槽の底面部に設けられ前記排水弁と連通する第１の排水口と、前記水受け槽の底面部に近接する周壁部分に設けられ前記排水弁へ連通する連通部と連通する第２の排水口を設けたものであり、まず排水行程において、水受け槽の底面部に設けた第１の排水口より排水し、脱水行程において、洗濯兼脱水槽の回転の遠心力で絞り出された洗濯液は、水受け槽の底面部に近接する周壁部分に設けた第２の排水口より直ちに排水され、洗濯兼脱水槽の一時的な低速回転を必要とせずに水受け槽から洗濯液を排水することができ、脱水時間を短縮することができる。
【００１３】
請求項２に記載の発明は、上記請求項１に記載の発明において、第２の排水口は、洗濯兼脱水槽の回転時の回転方向と対向するように開口したものであり、洗濯兼脱水槽の回転によって絞り出された洗濯液は、ストレートに排水口に向かうため、洗濯兼脱水槽が高速回転している場合でも、水受け槽から洗濯液を効率よく排水することができ、洗濯兼脱水槽の一時的な低速回転を必要とせず、脱水時間をさらに短縮することができる。
【００１４】
【実施例】
以下、本発明の実施例について、図面を参照しながら説明する。なお、従来例と同じ構成のものは同一符号を付して説明を省略する。
【００１５】
（実施例１）
図１に示すように、水受け槽１７は、洗濯兼脱水槽５を内包し外枠４内に弾性的に支持しており、この水受け槽１７の底面部に近接する周壁部分に排水口１８を設け、この排水口１８は排水弁８への連通部１８に連通している。他の構成は従来例と同じである。
【００１６】
上記構成において動作を説明する。なお、洗濯行程での動作は従来例と同じであるので説明を省略する。
【００１７】
排水行程では、排水弁８を開放すると、水受け槽１７内の洗濯液は、排水口１８より連通部１９、排水弁８、排水ホース９を通して外枠４の外部に排水される。つぎの脱水行程で、排水弁８を開放した状態で洗濯兼脱水槽５を回転駆動すると、衣類１５の内部に残留した洗濯液を回転による遠心力によって、水抜き用の小穴７から洗濯兼脱水槽５の外部に押し出す。
【００１８】
この洗濯兼脱水槽５の遠心力で絞り出された洗濯液は、水受け槽１７の底面部に近接する周壁部分に設けた排水口１８より直ちに排水され、洗濯兼脱水槽５の一時的な低速回転を必要とせずに水受け槽１７から洗濯液を排水することができ、脱水時間を短縮することができる。
【００１９】
（実施例２）
図２に示すように、排水口１８は、脱水行程での洗濯兼脱水槽５の回転時の遠心力方向と対向する位置に設けている。他の構成は上記実施例１と同じである。なお、図２は図１のＡ−Ａ断面図である。
【００２０】
上記構成において動作を説明する。なお、洗濯行程および排水行程での動作は上記実施例１と同じであるので説明を省略する。
【００２１】
脱水行程で、排水弁８を開放した状態で洗濯兼脱水槽５を回転駆動すると、衣類１５の内部に残留した洗濯液を回転による遠心力によって、水抜き用の小穴７から洗濯兼脱水槽５の外部に押し出す。洗濯兼脱水槽５の遠心力で絞り出された洗濯液は、矢印で示すように、ストレートに排水口１８に向かうため、洗濯兼脱水槽５が高速回転している場合でも、水受け槽１７から洗濯液を効率よく排水することができ、洗濯兼脱水槽５の一時的な低速回転を必要とせず、脱水時間をさらに短縮することができる。
【００２２】
（実施例３）
図３に示すように、水受け槽２０は、洗濯兼脱水槽５を内包し、この水受け槽２０の底面部に近接する周壁部分に排水口２１を設け、この排水口２１は、上記実施例１または２と同様に、排水弁８への連通部１８に連通している。水受け槽２０の底面部は、洗濯兼脱水槽５の回転方向と同方向に、排水口２１側が低くなるように傾斜させている。他の構成は上記実施例１または２と同じである。
【００２３】
上記構成において動作を説明する。なお、洗濯行程での動作は上記実施例１または２と同じであるので説明を省略する。
【００２４】
排水行程では、排水弁８を開放すると、水受け槽２０内の洗濯液は、排水口２１より連通部１９、排水弁８、排水ホース９を通して外枠４の外部に排水される。このとき、水受け槽２０の底面部は、排水口２１側が低くなるように傾斜させているため、排水能力を高めることができ、排水行程での残水を少なくすることができる。
【００２５】
つぎの脱水行程で、排水弁８を開放した状態で洗濯兼脱水槽５を回転駆動すると、この洗濯兼脱水槽５の遠心力で絞り出された洗濯液は、水受け槽２０の底面部に近接する周壁部分に設けた排水口２１より直ちに排水され、水受け槽２０の底面部は、排水口２１側が低くなるように傾斜させているため、排水能力を高めることができ、脱水行程での残水をさらに少なくすることができ、洗濯兼脱水槽５の一時的な低速回転を必要とせず、脱水時間を短縮することができる。
【００２６】
（実施例４）
図４で示すように、水受け槽２２は、洗濯兼脱水槽５を内包し、この水受け槽２２の底面部と、底面部に近する周壁部分に排水口２３、２４を設け、排水口２３は排水弁８に連通し、排水口２４は連通部１９を通して排水弁８に連通している。他の構成は上記実施例１と同じである。
【００２７】
上記構成において動作を説明する。なお、洗濯行程での動作は上記実施例１または２と同じであるので説明を省略する。
【００２８】
排水行程では、排水弁８を開放すると、水受け槽２２内の洗濯液は、排水口２３より排水弁８、排水ホース９を通して外枠４の外部に排水される。
【００２９】
つぎの脱水行程で、排水弁８を開放した状態で洗濯兼脱水槽５を回転駆動すると、この洗濯兼脱水槽５の遠心力で絞り出された洗濯液は、水受け槽２２の底面部に近接する周壁部分に設けた排水口２４より直ちに排水され、高速脱水回転時の排水能力を向上することができ、洗濯兼脱水槽５の一時的な低速回転を必要とせず、脱水時間を短縮することができる。
【００３０】
【発明の効果】
以上のように本発明の請求項１記載の発明によれば、洗濯兼脱水槽を内包し外枠内に弾性的に支持した水受け槽と、前記水受け槽の底部に設けられ前記水受け槽内の洗濯液の排水を制御する排水弁とを備え、前記水受け槽は、前記水受け槽の底面部に設けられ前記排水弁と連通する第１の排水口と、前記水受け槽の底面部に近接する周壁部分に設けられ前記排水弁へ連通する連通部と連通する第２の排水口を設けたから、まず排水行程において、水受け槽の底面部に設けた第１の排水口より排水し、脱水行程において、洗濯兼脱水槽の回転の遠心力で絞り出された洗濯液は、水受け槽の底面部に近接する周壁部分に設けた第２の排水口より直ちに排水され、洗濯兼脱水槽の一時的な低速回転を必要とせずに水受け槽から洗濯液を排水することができ、脱水時間を短縮することができる。
【００３１】
また、請求項２に記載の発明によれば、第２の排水口は、洗濯兼脱水槽の回転時の回転方向と対向するように開口したから、洗濯兼脱水槽の回転によって絞り出された洗濯液は、ストレートに排水口に向かうため、洗濯兼脱水槽が高速回転している場合でも、水受け槽から洗濯液を効率よく排水することができ、洗濯兼脱水槽の一時的な低速回転を必要とせず、脱水時間をさらに短縮することができる。
【図面の簡単な説明】
【図１】  本発明の第１の実施例の脱水兼用洗濯機の縦断面図
【図２】  本発明の第２の実施例の脱水兼用洗濯機の横断面図
【図３】  （ａ）本発明の第３の実施例の脱水兼用洗濯機の要部横断面図
（ｂ）同脱水兼用洗濯機の要部縦断面図
【図４】  本発明の第４の実施例の脱水兼用洗濯機の縦断面図
【図５】  従来の脱水兼用洗濯機の縦断面図
【符号の説明】
４  外枠
５  洗濯兼脱水槽
８  排水弁
１７  水受け槽
１８  排水口
１９  連通部
【図１】
0003791098.tif 000002
【図２】
0003791098.tif 000003
【図３】
0003791098.tif 000004
【図４】
0003791098.tif 000005
【図５】
0003791098.tif 000006